(57)【要約】 【課題】計時日時が不正確であっても、その不正確さを起因として番組予約実行時に生じる悪影響を防止できるようにする。 【解決手段】自動補正モードを任意に選択可能としても、ＣＰＵ１は、ＴＶ放送受信部１３からの受信内容を録画する録画予約をスケジュール表ＳＤに設定する際に、自動補正モードが選択されていなければ、その旨を警告することができる。 【選択図】  図１
2008118245.tif 000002
【特許請求の範囲】
【請求項１】
放送電波を受信する放送受信機能と予め設定されたスケジュール情報を記憶管理するスケジュール管理機能を備え、放送番組の予約に関する情報を前記スケジュール情報として設定する携帯端末装置であって、
内部で計時された内部計時日時を外部から取得した外部取得日時に基づいて高精度日時に修正する自動補正モードを任意に選択する選択手段と、
放送番組の予約に関する情報を前記スケジュール情報として設定する際に、前記自動補正モードが選択されているかを判別する判別手段と、
この判別手段によって自動補正モードが選択されていないことが判別された場合に、その旨を警告する警告手段と、
を具備したことを特徴とする携帯端末装置。
【請求項２】
前記外部取得日時と内部計時日時との差分値を算出する算出手段を設け、
前記警告手段は、前記算出手段によって得られた差分値を出力して警告を行う、
ようにしたことを特徴とする請求項1記載の携帯端末装置。
【請求項３】
前記警告を行う際に、自動補正モードに変更する、
ようにしたことを特徴とする請求項1記載の携帯端末装置。
【請求項４】
放送電波を受信する放送受信機能と予め設定されたスケジュール情報を記憶管理するスケジュール管理機能を備え、放送番組の予約に関する情報を前記スケジュール情報として設定する携帯端末装置であって、
内部で計時された内部計時日時に基づいて前記スケジュール情報を検索した結果、放送番組の予約開始日時の間近であれば、外部から取得した外部取得日時と当該内部計時日時との差分値を求めて一時記憶するほか、この外部取得日時に基づいて内部計時日時を高精度日時に修正する第１の修正手段と、
この第１の修正手段によって修正されたのちの高精度な内部計時日時に基づいて前記スケジュール情報を検索した結果、放送番組の予約開始日時に達した際に、その予約内容を実行するスケジュール実行手段と、
このスケジュール実行手段による放送番組の予約実行後に、前記一時記憶されている差分値を読み出し、前記高精度な内部計時日時を当該差分値に基づいて再修正する第２の修正手段と、
を具備したことを特徴とする携帯端末装置。
【請求項５】
前記第１の修正手段によって修正されたのちの高精度な内部計時日時に基づいて前記スケジュール情報を検索した結果、放送番組の予約終了日時に達した際に、前記第２の修正手段は、前記一時記憶されている差分値に基づいて当該内部計時日時を再修正する、
ようにしたことを特徴とする請求項４記載の携帯端末装置。
【請求項６】
放送電波を受信する放送受信機能と予め設定されたスケジュール情報を記憶管理するスケジュール管理機能を備え、放送番組の予約に関する情報を前記スケジュール情報として設定する携帯端末装置であって、
第１の内部計時日時を計時する第１の計時手段と、
外部から取得した外部取得日時に基づいて高精度日時に修正された第２の内部計時日時を計時する第２の計時手段と、
前記スケジュール情報を検索する際に、放送番組の予約に関するスケジュール情報に対しては、その予約日時と前記第２の内部計時日時とを比較し、番組予約以外のスケジュール情報に対しては、その予約日時と前記第１の内部計時日時とを比較してスケジュール管理を行うスケジュール管理手段と、
を具備したことを特徴とする携帯端末装置。
【請求項７】
前記第１の内部計時日時を外部取得日時に基づいて高精度日時に修正する自動補正モードを任意に選択する選択手段を設け、
前記自動補正モードが選択されていない場合に、前記スケジュール管理手段は、放送番組の予約に関するスケジュール情報に対しては、その予約日時と前記第２の内部計時日時とを比較し、番組予約以外のスケジュール情報に対しては、その予約日時と前記第１の内部計時日時とを比較する、
ようにしたことを特徴とする請求項６記載の携帯端末装置。
【請求項８】
コンピュータに対して、
内部で計時された内部計時日時を外部から取得した外部取得日時に基づいて高精度日時に修正する自動補正モードを任意に選択する機能と、
放送番組の予約に関する情報をスケジュール情報として設定する際に、前記自動補正モードが選択されているかを判別する機能と、
自動補正モードが選択されていないことが判別された場合に、その旨を警告する機能と、
を実現させるためのプログラム。
【請求項９】
コンピュータに対して、
内部で計時された内部計時日時に基づいて前記スケジュール情報を検索した結果、放送番組の予約開始日時の間近であれば、外部から取得した外部取得日時と当該内部計時日時との差分値を求めて一時記憶するほか、この外部取得日時に基づいて内部計時日時を高精度日時に修正する機能と、
修正後の高精度な内部計時日時に基づいて前記スケジュール情報を検索した結果、放送番組の予約開始日時に達した際に、その予約内容を実行する機能と、
放送番組の予約実行後に、前記一時記憶されている差分値を読み出し、前記高精度な内部計時日時を当該差分値に基づいて再修正する機能と、
を実現させるためのプログラム。
【請求項１０】
コンピュータに対して、
第１の内部計時日時を計時する機能と、
外部から取得した外部取得日時に基づいて高精度日時に修正された第２の内部計時日時を計時する機能と、
前記スケジュール情報を検索する際に、放送番組の予約に関するスケジュール情報に対しては、その予約日時と前記第２の内部計時日時とを比較し、番組予約以外のスケジュール情報に対しては、その予約日時と前記第１の内部計時日時とを比較してスケジュール管理を行う機能と、
を実現させるためのプログラム。
【発明の詳細な説明】
【技術分野】
【０００１】
この発明は、放送電波を受信する放送受信機能と予め設定されたスケジュール情報を記憶管理するスケジュール管理機能を備え、放送番組の予約に関する情報をスケジュール情報として設定する携帯端末装置及びプログラムに関する。
【背景技術】
【０００２】
近年、デジタルテレビ放送受信チューナ付き携帯電話装置が普及してきており、携帯画面でテレビ視聴することができるほか、テレビ放送を録画する機能もあり、録画内容を再生視聴することができるようになっている（特許文献１参照）。
【０００３】
このような携帯電話装置では、テレビ番組の録画を予約する録画予約機能を備えたものも製品化され始めている。この録画予約機能では、テレビ番組の予約情報をスケジュール情報として設定するようにしている。すなわち、携帯電話装置には、予め設定されたスケジュール情報に基づいてその予約日時に達したかを検出するスケジュール管理機能が備えられているが、このスケジュール管理機能を利用して、テレビ番組の予約情報を管理するようにしている。この場合、内蔵時計の計時日時と予約日時とを比較することによって予約日時に達したか否かを検出するようにしているが、内蔵時計は、常に正確であるとは限らず、内蔵時計が不正確であると、テレビ録画の開始に影響し、録画が早過ぎるときには、電力、メモリを無駄に使ってしまい、逆に、録画が遅過ぎるときには、録画漏れが生じてしまう。
【０００４】
そこで、従来では、テレビ放送に含まれている日時情報に基づいて内蔵時計を高精度日時に自動修正する技術が知られている（特許文献２参照）。この場合、自動修正を有効とするか否かをユーザ操作によって任意に選択できるようにしている。
【特許文献１】特開２００２−２４７４９０号公報
【特許文献２】特開２００１−９１６８０号公報
【発明の開示】
【発明が解決しようとする課題】
【０００５】
上述した特許文献２の技術のように、自動修正を有効とするか否かを任意に選択可能としたのは、正確な日時を敢えて嫌う人に対する配慮でもあり、例えば、５分早めに出掛ける、起きるなど、正確な日時に対して少し早目の日時をわざと設定して利用する人も多く、そのような人達の要望に応えるためであるが、内蔵時計が不正確であっても、目覚まし用などに利用する限りでは問題はないが、テレビ放送の録画予約の場合には、録画が早過ぎること、遅過ぎることによる弊害を生じる。
【０００６】
この発明の課題は、計時日時が不正確であっても、その不正確さを起因として番組予約実行時に生じる悪影響を防止できるようにすることである。
【課題を解決するための手段】
【０００７】
請求項１記載の発明（第１の発明）は、放送電波を受信する放送受信機能と予め設定されたスケジュール情報を記憶管理するスケジュール管理機能を備え、放送番組の予約に関する情報を前記スケジュール情報として設定する携帯端末装置であって、内部で計時された内部計時日時を外部から取得した外部取得日時に基づいて高精度日時に修正する自動補正モードを任意に選択する選択手段と、放送番組の予約に関する情報を前記スケジュール情報として設定する際に、前記自動補正モードが選択されているかを判別する判別手段と、この判別手段によって自動補正モードが選択されていないことが判別された場合に、その旨を警告する警告手段とを具備したことを特徴とする。
更に、コンピュータに対して、上述した請求項１記載の発明に示した主要機能を実現させるためのプログラムを提供する（請求項８記載の発明）。
【０００８】
なお、上述した請求項１記載の発明は、前記外部取得日時と内部計時日時との差分値を算出する算出手段を設け、前記警告手段は、前記算出手段によって得られた差分値を出力して警告を行うようにしてもよい（請求項２記載の発明）。また、前記警告を行う際に、自動補正モードに変更するようにしてもよい（請求項３記載の発明）。
【０００９】
請求項４記載の発明（第２の発明）は、放送電波を受信する放送受信機能と予め設定されたスケジュール情報を記憶管理するスケジュール管理機能を備え、放送番組の予約に関する情報を前記スケジュール情報として設定する携帯端末装置であって、内部で計時された内部計時日時に基づいて前記スケジュール情報を検索した結果、放送番組の予約開始日時の間近であれば、外部から取得した外部取得日時と当該内部計時日時との差分値を求めて一時記憶するほか、この外部取得日時に基づいて内部計時日時を高精度日時に修正する第１の修正手段と、この第１の修正手段によって修正されたのちの高精度な内部計時日時に基づいて前記スケジュール情報を検索した結果、放送番組の予約開始日時に達した際に、その予約内容を実行するスケジュール実行手段と、このスケジュール実行手段による放送番組の予約実行後に、前記一時記憶されている差分値を読み出し、前記高精度な内部計時日時を当該差分値に基づいて再修正する第２の修正手段とを具備したことを特徴とする。
更に、コンピュータに対して、上述した請求項４記載の発明に示した主要機能を実現させるためのプログラムを提供する（請求項９記載の発明）。
【００１０】
なお、上述した請求項４記載の発明は、前記第１の修正手段によって修正されたのちの高精度な内部計時日時に基づいて前記スケジュール情報を検索した結果、放送番組の予約終了日時に達した際に、前記第２の修正手段は、前記一時記憶されている差分値に基づいて当該内部計時日時を再修正するようにしてもよい（請求項５記載の発明）。
【００１１】
請求項６記載の発明（第３の発明）は、放送電波を受信する放送受信機能と予め設定されたスケジュール情報を記憶管理するスケジュール管理機能を備え、放送番組の予約に関する情報を前記スケジュール情報として設定する携帯端末装置であって、第１の内部計時日時を計時する第１の計時手段と、外部から取得した外部取得日時に基づいて高精度日時に修正された第２の内部計時日時を計時する第２の計時手段と、前記スケジュール情報を検索する際に、放送番組の予約に関するスケジュール情報に対しては、その予約日時と前記第２の内部計時日時とを比較し、番組予約以外のスケジュール情報に対しは、その予約日時と前記第１の内部計時日時とを比較してスケジュール管理を行うスケジュール管理手段とを具備したことを特徴とする。
更に、コンピュータに対して、上述した請求項６記載の発明に示した主要機能を実現させるためのプログラムを提供する（請求項１０記載の発明）。
【００１２】
なお、上述した請求項６記載の発明は、前記第１の内部計時日時を外部取得日時に基づいて高精度日時に修正する自動補正モードを任意に選択する選択手段を設け、前記自動補正モードが選択されていない場合に、前記スケジュール管理手段は、放送番組の予約に関するスケジュール情報に対しては、その予約日時と前記第２の内部計時日時とを比較し、番組予約以外のスケジュール情報に対しては、その予約日時と前記第１の内部計時日時とを比較するようにしてもよい（請求項７記載の発明）。
【発明の効果】
【００１３】
第１の発明は、放送番組の予約をスケジュール情報として設定する際に、自動補正モードが選択されていない旨を警告することができ、計時日時の不正確さを起因として番組予約実行時に悪影響を及ぼす可能性があることを事前に知らせることが可能となる。
【００１４】
第２の発明は、放送番組の予約開始日時の間近に計時日時を高精度日時に一時的に修正することができ、計時日時の不正確さを起因として番組予約実行時に生じる悪影響を防止することが可能となる。
【００１５】
第３の発明は、番組予約のスケジュール情報に対しては、それ以外のスケジュール情報とは区別して高精度な計時日時によってその予約内容を実行することができ、計時日時の不正確さを起因として番組予約実行時に生じる悪影響を防止することが可能となる。
【発明を実施するための最良の形態】
【００１６】
（実施例１）
以下、図１〜図６を参照して本発明の第１実施例を説明する。
この実施例は、携帯端末装置としてテレビ受信機能付きの携帯電話装置に適用した場合を例示したもので、図１は、このテレビ受信機能付き携帯電話装置の基本的な構成要素を示したブロック図である。
この携帯電話装置には、通話機能、電子メール機能、インターネット接続機能（Ｗｅｂアクセス機能）などのほか、デジタルテレビ放送を受信するテレビ（ＴＶ）受信機能、受信したＴＶ放送を録画する録画機能（録画予約機能を含む）、録画内容を再生出力する再生機能、予め設定されたスケジュール情報を記憶管理するスケジュール管理機能などが備えられている。
【００１７】
ＣＰＵ１は、記憶部２内の各種のプログラムに応じてこの携帯電話装置の全体動作を制御する中核的な中央演算処理装置である。記憶部２は、内部メモリであり、プログラム領域とデータ領域とを有し、このプログラム領域には、後述する図３〜図６に示す動作手順に応じて本実施例を実現するためのプログラムが格納されており、また、そのデータ領域には、後述するスケジュール表ＳＤなどが格納されている。外部記録メディア３は、着脱自在な可搬型メモリで、録画コンテンツなど、各種のデータ・プログラムを外部供給するもので、例えば、ＳＤカード、ＩＣカードなどによって構成されている。メモリ４は、ワーク領域を有する内部メモリであり、後述する時計モードフラグＭＦ、直前修正フラグＡＦなどがセットされる。なお、メモリ４内の各種のデータは、必要に応じて記憶部２にセーブされる。
【００１８】
電話通信部５は、無線部を構成するアンテナに接続された送受信部（ベースバンド部）の受信側から信号を取り込んで受信ベースバンド信号に復調したのちに、音響制御部６を介して受話スピーカ７から音声出力させる。また、電話通信部５は、送話マイク８から入力された音声データを音響制御部６から取り込み、送信ベースバンド信号に符号化したのちに送受信部の送信側に与えられてアンテナから発信出力させる。一方、インターネット接続機能などによって電話通信部５を介して受信取得した映像コンテンツは、表示制御部９を介してＬＣＤ（液晶表示装置）などのメイン表示部１０に与えられて表示出力される。サブ表示部１１は現在日時、簡易なメッセージ、アイコンなどを表示する。
【００１９】
メイン表示部１０は、ＴＶ放送を高画質に表示可能なＬＣＤ（液晶表示装置）などであり、キー操作部１２は、ダイヤル入力、文字入力、コマンド入力などを行うもので、ＴＶオン／オフキー、録画開始／停止キーなどが設けられており、ＣＰＵ１は、キー操作部１２からのキー入力信号に応じた処理を実行する。ＴＶ放送受信部１３は、携帯電話などの地上波デジタルＴＶ放送を受信するもので、ＴＶ映像及び音声情報以外にも電子番組表(ＥＰＧ)なども含めて受信可能となっており、ＴＶアンテナに接続されていて放送信号を抽出する受信部（アナログ回路部）と、受信した放送信号をＯＦＤＭ（直交周波数分割多重）復調したり、多重化されている放送信号から映像、音声、データに分離して復号化したり、圧縮データの解凍などを行うデジタル回路部を有するもので、ＴＶ映像データ及び文字データなどは、メイン表示部１０から表示出力され、また、ＴＶ音声データは、サウンドスピーカ１４から出力される。
【００２０】
ＲＴＣ（リアルタイムクロックモジュール）１５は、内蔵されている時計部（内蔵時計）を構成するもので、ＣＰＵ１は、ＴＶ放送受信部１３から取得した放送データに含まれている正確な日時データに基づいてＲＴＣ１５の計時日時を自動修正するようにしている。すなわち、地上波デジタルＴＶの放送信号内には高精度日時（日本標準日時）が含まれており、ＣＰＵ１は、このＴＶ放送信号から高精度日時を取得してＲＴＣ１５の計時日時（年月日時分秒）を自動修正するようにしている。この場合、上述の時計モードフラグＭＦを参照し、“自動補正モード”にセットされていることを条件に、ＣＰＵ１は、定期的（例えば、毎正時）にＴＶ放送受信部１３を起動（オン）させることによってＴＶ放送信号から高精度日時を取得し、この高精度日時に基づいてＲＴＣ１５の計時日時を自動修正する。例えば、ＲＴＣ１５の計時日時を高精度日時に書き換えることによってその自動修正を行うようにしている。
【００２１】
このような自動修正を有効とするか否かは、ユーザ操作によって何時でも自由に選択可能であり、ＣＰＵ１は、キー操作部１２から自動修正の有効が指示された際に、時計モードフラグＭＦを“自動補正モード”にセットするようにしている。時計モードフラグＭＦは、現在セットされている時計モードの種類を示すもので、そのオン／オフによって“自動補正モード”と“手動補正モード”との切り替えを指定するフラグであり、それが“１”のときには、“自動補正モード”を示し、“０”のときには“手動補正モード”を示している。“手動補正モード”は、ＲＴＣ１５の計時日時を任意に手動修正するためのデータが入力された際に、この入力データに基づいてその計時日時（年月日時分秒）を手動修正する動作モードであり、例えば、ＲＴＣ１５の計時日時を入力日時に書き換えることでその手動修正を行う。なお、日時データを入力する場合に限らず、例えば、５分、１０分などのように修正時間を入力するようにしてもよい。
【００２２】
図２は、スケジュール表ＳＤを説明するための図である。
スケジュール表ＳＤは、スケジュール管理機能を構成するもので、キー操作部１２から任意に入力されたスケジュール情報あるいは記録メディア３を介して入力されたスケジュール情報を記憶管理する。すなわち、スケジュール表ＳＤは、スケジュール毎にその「開始日時」、「終了日時」、「種別」、「予定内容」、‥‥、の各項目を記憶する構成となっている。そして、このスケジュール表ＳＤは、会議、出張などのスケジュールのほか、ＴＶ放送の番組予約に関する情報をスケジュール情報として設定可能となっており、スケジュール管理機能を利用して、ＴＶ番組の予約情報も管理可能となっている。
【００２３】
「種別」は、スケジュール情報の種類として、ＴＶ放送の番組予約に関するスケジュール情報かそれ以外のスケジュール情報かを示すもので、「ＴＶ」は、ＴＶ放送の番組予約に関するスケジュール情報（ＴＶ種のスケジュール情報）を示し、「メモ」は、会議、出張、打合わせ、などＴＶスケジュール以外のスケジュール情報（メモ種のスケジュール情報）を示している。このメモ種のスケジュール情報において、「開始日時」、「終了日時」は、行動予定の開始・終了日時を示し、「予定内容」は、コメントメッセージを示しているが、ＴＶ種のスケジュール情報において、「開始日時」、「終了日時」は、予約番組の放送開始日時・終了日時を示し、「予約内容」は、チャンネル情報を示している。
【００２４】
このスケジュール表ＳＤにＴＶ種のスケジュール情報を設定する際、つまり、ＴＶ放送の録画予約時に、ＣＰＵ１は、時計モードフラグＭＦを参照し、自動補正モードが選択されていない場合（手動補正モードが選択されている場合）には、その旨の警告表示するようにしている。この場合、ＲＴＣ１５の計時日時とＴＶ放送信号から取得した高精度日時との差分を算出し、この差分値を表示して警告を行う。この警告表示を確認したユーザは、その対処法として、手動補正モードから自動補正モードへの切り替えを指示するほか、予約開始の直前においてＲＴＣ１５の計時日時を一時的に自動修正する直前修正などを指示するようにしている。ここで、直前修正が指示されると、上述した直前修正フラグＡＦがセットされる。
【００２５】
この直前修正がユーザ指示された際に、ＣＰＵ１は、ＲＴＣ１５の計時日時に基づいてスケジュール表ＳＤを検索し、何れかの録画予約の開始間近であれば、ＲＴＣ１５の計時日時とＴＶ放送信号から取得した高精度日時との差分を求めて一時記憶すると共に、この高精度日時に基づいてＲＴＣ１５の計時日時を一時修正したのち、この録画予約の終了時に当該差分値に基づいてＲＴＣ１５の計時日時を再修正するようにしている。すなわち、録画予約の開始間近にＲＴＣ１５の計時日時を一時的に高精度日時に修正するが、その予約終了時には、直前修正を施す前の元の状態に戻すようにしている。
【００２６】
また、ＣＰＵ１は、ＲＴＣ１５の計時日時に基づいて定期的（例えば、毎正分）にスケジュール表ＳＤを検索し、その「開始日時」に到達したスケジュールが有れば、メモ種のスケジュールかＴＶ種のスケジュールであるかを判別し、メモ種のスケジュールであれば、アラーム報知を行い、ＴＶ種のスケジュールであれば、予約番組の録画を開始し、また、ＴＶ種の「終了日時」に達したことを検出した際には、予約番組の録画を終了するようにしている。なお、録画内容は、記憶部２あるいは外部記録メディア３に録画ファイルとして格納される。
【００２７】
次に、この第１実施例における携帯電話装置の動作概念を図３〜図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００２８】
図３〜図６は、電源投入に伴って実行開始される携帯電話装置の全体動作を示したフローチャートである。
先ず、ＣＰＵ１は、電話通信部５を作動させて現在位置を登録する待受処理を行うと共に、所定の待受画像を読み出して表示出力させながら電話／メールの待受状態となる（ステップＳ１）。この状態において、電話／メール着信有りを検出すると（ステップＳ２でＹＥＳ）、着信メロディなどを発生出力させる着信報知を行うと共に、電話あるいはメールの着信処理を実行する(ステップＳ３)。また、この待受状態において、何らかの操作が行われると（ステップＳ４でＹＥＳ）、それはＴＶ起動を指示するＴＶオン操作か（ステップＳ５）、モード操作かを調べる（ステップＳ１４）。
【００２９】
いま、モード操作が行われたときには（ステップＳ１４でＹＥＳ）、時計モードの切り替えを指示するモード操作であるかを判別し（ステップＳ１５）、それ以外のモード操作であれば、当該操作に対応する処理として、動作モードの切り替え処理などを実行するが（ステップＳ１６）、時計モードの切り替えが指示されたときには（ステップＳ１５でＹＥＳ）、時計モードの各選択候補を一覧表示させる（ステップＳ１７）。ここで、選択された時計モードは、“自動補正モード”か“手動補正モード”であるかを判別し（ステップＳ１８）、“自動補正モード”が選択されたときには、時計モードフラグＭＦに“１”をセットして“自動補正モード”に設定する（ステップＳ１９）。
【００３０】
また、時計モードとして“手動補正モード”が選択されたときには（ステップＳ１８でＮＯ）、時計モードフラグＭＦに“０”をセットして“手動補正モード”に設定すると共に（ステップＳ２０）、この“手動補正モード”下において、ＣＰＵ１は、ユーザ操作によって任意に入力された修正データを取り込み（ステップＳ２１）、この入力データに基づいてＲＴＣ１５の計時日時を手動修正する（ステップＳ２２）。
【００３１】
一方、ＴＶオン操作が行われたときには（ステップＳ５でＹＥＳ）、ＴＶ放送受信部１３をオンさせて受信動作を開始させると共に（ステップＳ６）、この放送受信内容を映像表示及び音声出力させる（ステップＳ７）。そして、このＴＶ放送の受信出力中にユーザから何らかの指示が受け取ると（ステップＳ８でＹＥＳ）、それはチャンネル切り替え操作か（ステップＳ９）、番組録画の予約操作か（ステップＳ１１）、ＴＶオフ操作かを調べ（ステップＳ１２）、それ以外の操作であれば（ステップＳ１２でＮＯ）、操作対応処理として、音量調整処理などを実行する（ステップＳ１３）。また、ＴＶオフ操作であれば（ステップＳ１２でＹＥＳ）、ＴＶ放送受信部１３の動作を停止させたのち、待受状態に戻る（ステップＳ１）。いま、チャンネル切り替え操作が行われた場合には（ステップＳ９）、それに応じてチャンネル変更を行い（ステップＳ１０）、また、番組録画の予約操作であれば（ステップＳ１１でＹＥＳ）、図４のフロー（録画予約処理）に移る。
【００３２】
先ず、ＣＰＵ１は、ＴＶ放送受信部１３を介して電子番組表を受信取得したのち（ステップＳ２３）、受信した電子番組表をメイン表示部１０から出力させる（ステップＳ２４）。この番組表の中から予約対象の番組がユーザ操作によって任意に選択されて（ステップＳ２５）、それを確定する決定操作が行われると（ステップＳ２６でＹＥＳ）、この選択番組の開始日時、終了日時、チャンネル情報を電子番組表からそれぞれ取得し（ステップＳ２７）、これらを含むスケジュール情報を新規生成してスケジュール表ＳＤに設定する（ステップＳ２８）。この場合、スケジュール情報の「開始日時」、「終了日時」、「予約内容」には、選択番組の“開始日時”、“終了日時”、“チャンネル情報”がセットされる。そして、当該スケジュール情報の「種別」に“ＴＶ”をセットする（ステップＳ２９）。
【００３３】
そして、ＣＰＵ１は、時計モードフラグＭＦを参照し、現在設定されている時計モードは、“自動補正モード”か“手動補正モード”であるかを判別し（ステップＳ３０）、“自動補正モード”が設定されていれば、つまり、毎正時にＲＴＣ１５の計時日時が正確な日時に自動修正されていれば、図３のステップＳ７に戻るが、“手動補正モード”が設定されていれば、つまり、ＲＴＣ１５が不正確な日時の可能性があれば（ステップＳ３０でＮＯ）、このＴＶ放送信号から高精度日時を取得すると共に（ステップＳ３１）、この高精度日時とＲＴＣ１５の計時日時との差分を算出し（ステップＳ３２）、この差分値を遅れ時間あるいは進み時間として表示警告する（ステップＳ３３）。
【００３４】
例えば、ＴＶ放送信号から取得した高精度日時が“〜時１０分２０秒”で、計時日時が“〜時２０分３０秒”であれば、その差分値は、“＋１０分１０秒”となり、進み過ぎていることが分かり、また、高精度日時が“〜時１０分２０秒”で、計時日時が“〜時０５分２０秒”であれば、その差分値は、“−０５分００秒”となり、遅れ過ぎていることが分かる。そして、この警告に対する対処法を任意に選択すべきことを指示する選択メッセージと共に、その選択方法を一覧表示させる（ステップＳ３４）。この選択画面には、「１：そのまま決定」、「２：日時直前修正」、「３：時計モード変更」の各選択項目が表示される。
【００３５】
この選択画面の中から任意の項目が選択指定された場合に、それが「１：そのまま決定」であれば（ステップＳ３７でＮＯ）、図３のステップＳ７に戻るが、「３：時計モード変更」が選択されたときには（ステップＳ３５でＹＥＳ）、時計モードフラグＭＦの内容を書き換え、“手動補正モード”から“自動補正モード”に切り替える（ステップＳ３６）。また、「２：日時直前修正」が選択されたときには（ステップＳ３７でＹＥＳ）、直前修正フラグＡＦをセットする（ステップＳ３８）。その後、図３のステップＳ７に戻る。
【００３６】
他方、ＴＶオフ状態において、操作無しの検出タイミングでは（図３のステップＳ４でＮＯ）、図５のフローに移り、ＲＴＣ（内蔵時計）１５の計時日時は、“正時”（‥‥時００分００秒）に達したかを判別する（ステップＳ３９）。ここで、“正時”のタイミングでは、時計モードフラグＭＦを参照し、現在の時計モードは“自動補正モード”か“手動補正モード”であるかを判別し（ステップＳ４０）、“自動補正モード”であれば、内蔵時計の自動修正を行う。すなわち、ＣＰＵ１は、ＴＶ放送受信部１３をオンさせて（ステップＳ４１）、ＴＶ放送信号から高精度日時を取得し（ステップＳ４２）、この高精度日時に基づいてＲＴＣ１５の計時日時を修正する（ステップＳ４３）。この場合、ＲＴＣ１５の計時日時を高精度日時に置き換えることによって自動修正が行われる。そして、ＴＶ放送受信部１３をオフさせたのち（ステップＳ４４）、最初の待受状態に戻る（図３のステップＳ１）。以下、“自動補正モード”では、“正時”ごとに上述の動作が実行される結果、１時間毎に計時日時が自動修正される。
【００３７】
また、現在の時計モードが“手動補正モード”であれば（ステップＳ４０でＮＯ）、直前修正フラグＡＦのセット有無を調べ（ステップＳ４５）、それがリセットされていれば、この時点で最初の待受状態に戻るが（図３のステップＳ１）、修正フラグＡＦがセットされていれば、ＲＴＣ１５の計時日時に基づいてスケジュール表ＳＤを参照し、開始間近の録画予約があるか、つまり、１時間〜２時間以内に録画開始される予約の有無をチェックする（ステップＳ４６）。この場合、スケジュール表ＳＤの「種別」を参照し、ＴＶ種のスケジュール情報であれば、その「開始日時」と計時日時とを比較することによって１時間〜２時間以内の録画予約であるかを調べ、該当する予約がなければ（ステップＳ４６でＮＯ）、この時点で待受状態に戻る（図３のステップＳ１）。
【００３８】
例えば、ＴＶ種のスケジュール情報の「開始日時」として、「‥‥２０日１２時００分」が設定されている状態において、計時日時が「‥‥２０日１０時１５分３０秒」であれば、１時間〜２時間以内の録画予約に該当するため（ステップＳ４６でＹＥＳ）、ＴＶ放送受信部１３をオンさせて（ステップＳ４７）、ＴＶ放送信号から高精度日時を取得すると共に（ステップＳ４８）、この高精度日時とＲＴＣ１５の計時日時との差分を求めてメモリ４内に退避記憶しておく（ステップＳ４９）。そして、上述の場合と同様に、この高精度日時に基づいてＲＴＣ１５の計時日時を修正したのち（ステップＳ４３）、ＴＶ放送受信部１３をオフさせる（ステップＳ４４）。
【００３９】
また、“正時”のタイミングでなければ（ステップＳ３９でＮＯ）、図６のフローに移り、内蔵時計（ＲＴＣ１５）の計時日時は、“正分”（‥‥分００秒）であるかを判別し（ステップＳ５０）、“正分”でなければ、待受状態に戻るが（図３のステップＳ１）、“正分”であれば、この計時日時に基づいてスケジュール表ＳＤを検索し（ステップＳ５１）、「開始日時」が計時日時に一致するスケジュールが存在するかを調べる（ステップＳ５２）。この場合、直前修正フラグＡＦがセットされていれば、計時日時は高精度日時に修正されているので、この高精度日時に基づいてスケジュール表ＳＤの検索が行われる。その結果、該当するスケジュールがあれば（ステップＳ５２でＹＥＳ）、その「種別」はメモ種であるであるかを判別し（ステップＳ５３）、メモ種のスケジュールであれば、通常と同様に、アラーム音などによる報知のほか（ステップＳ５４）、そのスケジュール内容を表示出力させる（ステップＳ５５）。
【００４０】
「開始日時」に達したスケジュールがＴＶ種であれば（ステップＳ５３でＮＯ）、アラーム音などによる報知のほか（ステップＳ５６）、ＴＶ放送受信部１３をオンさせたのち（ステップＳ５７）、その「予約内容」の項目からチャンネル情報を読み出し、この予約チャンネルの放送受信内容を録画する動作を開始させる（ステップＳ５８）。なお、上述したように直前修正フラグＡＦがセットされていれば、計時日時は高精度日時に修正されているので、この高精度日時に基づいて録画動作が開始される。また、録画内容は、記憶部２あるいは外部記録メディア３に録画ファイルとして格納される。その後、最初の待受状態に戻る（図３のステップＳ１）。
【００４１】
一方、「開始日時」に該当するスケジュールがなければ（ステップＳ５２でＮＯ）、現在録画中であるかを調べ（ステップＳ５９）、録画中でなければ、待受状態に戻るが（図３のステップＳ１）、録画中であれば、そのスケジュールの「終了日時」に計時日時が一致するかを調べる（ステップＳ６０）。いま、ＴＶ種の「終了日時」に達した際には、録画動作を終了させて（ステップＳ６１）、ＴＶ放送受信部１３をオフさせる（ステップＳ６２）。そして、直前修正フラグＡＦのセット有無をチェックすることによって直前修正後に開始した録画を終了させる場合かを調べる（ステップＳ６３）。なお、修正フラグＡＦがリセットされている場合（ステップＳ６３でＮＯ）あるいは直前修正フラグＡＦがセットされていても１時間〜２時間以内に録画開始される他の予約が存在する場合には（ステップＳ６４でＹＥＳ）、この時点で待受状態に戻る（図３のステップＳ１）。
【００４２】
また、直前修正フラグＡＦがセットされていて（ステップＳ６３でＹＥＳ）、直前開始される他の予約がなければ（ステップＳ６４でＮＯ）、上述のステップＳ４９でメモリ４内に退避記憶しておいた差分値を読み出し、この差分値に基づいてＲＴＣ１５の計時日時を再修正する（ステップＳ６５）。例えば、計時日時が“〜時１０分１０秒”の場合に、差分値が“＋６分２０秒”で進んでいたときには、再修正後の計時日時は、進んだままの日時“〜時０４分１０秒”となり、また、差分値が“−２分１０秒”で遅れていたときには、再修正後の計時日時は、遅れたままの日時“〜時１１分２０秒”となる。その後、最初の待受状態に戻る（図３のステップＳ１）。
【００４３】
以上のように、この第１実施例においては、正確な日時を敢えて嫌う人への配慮として“自動補正モード”を任意に選択可能としても、ＴＶ放送受信部１３からの受信内容を録画する録画予約をスケジュール表ＳＤに設定する際に、“自動補正モード”が選択されていなければ、その旨を警告することができるので、計時日時の不正確さを起因として録画予約実行時に悪影響を及ぼす可能性があることを事前に知らせることが可能となる。すなわち、計時日時が不正確であると、ＴＶ録画の開始に影響し、録画が早過ぎるときには、電力、メモリを無駄に使ってしまい、逆に、録画が遅過ぎるときには、録画漏れが生じてしまうが、このような悪影響が起きる可能性があることをユーザに知らせることが可能となる。
【００４４】
ＣＰＵ１は、ＴＶ放送信号から取得した高精度日時（正確な日時）とＲＴＣ１５の計時日時との差分を算出し、この差分値を警告表示することにより、録画予約をスケジュール表ＳＤに設定する際に、実際の遅れ時間あるいは進み時間を知ることができ、録画予約実行時にどの程度の悪影響を及ぼすかを知ることが可能となる。
【００４５】
また、警告に対する対処法を一覧表示する選択画面において、この選択画面の中から「３：時計モード変更」の項目が選択された際に、ＣＰＵ１は、時計モードを“手動補正モード”から“自動補正モード”に変更することにより、予約実行前において計時日時の自動修正が可能となる。
【００４６】
ＣＰＵ１は、開始間近の録画予約があれば、ＴＶ放送信号から取得した高精度日時とＲＴＣ１５の計時日時との差分を求めてメモリ４内に退避記憶するほか、この高精度日時に基づいてＲＴＣ１５の計時日時を修正しておき、その予約の「開始日時」に録画動作を開始させたのちは、退避しておいた差分値に基づいて計時日時を再修正することにより、録画予約に応じて計時日時を一時的に自動修正することができる。
【００４７】
この場合、予約の「終了日時」に達した際に、録画動作を終了させると共に、メモリ４内に退避しておいた差分値に基づいてＲＴＣ１５の計時日時を再修正することにより、放送番組をその最後まで正確に録画することが可能となる。
【００４８】
なお、上述した第１実施例においては、ＴＶ放送信号から取得した高精度日時とＲＴＣ１５の計時日時との差分値を警告表示するようにしたが、遅れ具合あるいは進み具合をレベル表示など、差分値の大きさに応じて警告の表示形式を変更するようにしてもよい。このように表示形式を変更することによって、遅れ具合あるいは進み具合を直感的に確認することができるようになる。
また、警告表示に限らず、サウンドスピーカ１４からアラーム音あるいは音声メッセージを出力させるようにしてもよい。
【００４９】
また、高精度日時（正確な日時）に対して所定時間未満（例えば、３秒未満）の遅れ／進みであれば、この警告表示を省略するようにしてもよい。その際、番組の初めにコマーシャルを放送する民間放送の場合には、コマーシャルの放送時間（例えば、３０秒）を考慮し、正確な日時に対して３０秒以上の遅れがあることを条件に警告表示を行うようにしてもよい。また、遅れている場合と進んでいる場合とでは、悪影響を及ぼす対象が異なるため、遅れている場合には録画漏れを防ぐために警告表示を省略せず、進んでいる場合には所定時間未満の進みであることを条件に、つまり、電力、メモリ消費が多くならない程度であることを条件に、警告表示を省略するようにしてもよい。
【００５０】
また、放送番組の予約開始日時の間近からその予約終了日時になるまでの間、ＲＴＣ１５の計時日時を一時的に高精度日時に修正した場合に、その間、一時的に修正した旨をメッセージ表示などによって報知するようにしてもよい。
また、上述した第１実施例においては、予約の「終了日時」に達した際に、録画動作を終了させると共に、メモリ４内に退避しておいた差分値に基づいてＲＴＣ１５の計時日時を再修正するようにしたが、この計時日時を再修正は、予約番組の「開始日時」に録画動作を開始させた直後に行うようにしてもよい。この場合、録画予約の「終了日時」を常時監視しなくても、予約番組の「開始日時」からその放送時間を考慮してその終了日時を特定するようにしてもよい。
（実施例２）
【００５１】
以下、この発明の第２実施例について図７及び図８を参照して説明する。
なお、上述した第１実施例においては、単一の内蔵時計を設けた場合を示したが、この第２実施例においては、２つの内蔵時計を設けた場合である。
ここで、両実施例において基本的あるいは名称的に同一のものは、同一符号を付して示し、その説明を省略すると共に、以下、第２実施例の特徴部分を中心に説明するものとする。
【００５２】
図７は、２つの内蔵時計であるＲＴＣ１５Ａ、ＲＴＣ１５Ｂを示した図である。
ＲＴＣ１５Ａは、第１の内蔵時計を構成するもので、上述した第１実施例と同様に、“自動補正モード”が任意に選択されている状態において、ＣＰＵ１は、定期的（例えば、毎正時）にＴＶ放送受信部１３を起動（オン）させることによってＴＶ放送信号から高精度日時を取得し、この高精度日時に基づいてＲＴＣ１５Ａの計時日時の自動修正を行う。
【００５３】
また、ＲＴＣ１５Ｂは、第２実施例において新たに設けた第２の内蔵時計を構成するもので、“自動補正モード”が選択されているか否かに拘らず、ＣＰＵ１は、定期的（例えば、毎正時）にＴＶ放送受信部１３をオンさせることによってＴＶ放送信号から高精度日時を取得し、この高精度日時に基づいてＲＴＣ１５Ｂの計時日時の自動修正を行うようにしている。したがって、ＲＴＣ（第２時計）１５Ｂの計時日時は、常に正確であるのに対し、ＲＴＣ（第１時計）１５Ａの計時日時は、上述した第１実施例と同様、“自動補正モード”が解除されていれば、手動修正で正確な日時に合わせ込まない限り、不正確である可能性が高い。
【００５４】
ＣＰＵ１は、定期的（例えば、毎正分）にスケジュール表ＳＤを検索し、“自動補正モード”が選択されていれば、メモ種のスケジュールであるか、ＴＶ種のスケジュールであるかに拘らず、その予約日時と第１時計１５Ａの計時日時とを比較し、“自動補正モード”が解除されていれば、メモ種のスケジュールに対しては、その予約日時と第１時計１５Ａの計時日時とを比較し、ＴＶ種のスケジュールに対しては、その予約日時と第２時計１５Ｂの計時日時とを比較してスケジュール管理を行うようにしている。
【００５５】
図８は、上述した第１実施例における図６に代わるフローチャートである。なお、その他の図３〜図５のフローチャートは、この第２実施例においても同様であるため、その説明は省略するものとする。
先ず、ＣＰＵ１は、第１時計１５Ａが“正時”でない場合に（図５のステップＳ３９でＮＯ）、図８のフローに移り、“自動補正モード”のセット有無を調べ（ステップＳ７１）、“自動補正モード”にセットされていれば、つまり、毎正時に第１時計１５Ａが正確な日時に自動修正されていれば、この第１時計１５Ａの計時日時は、“正分”であるかを調べる（ステップＳ７２）。
【００５６】
ここで、“正分”でなければ（ステップＳ７２でＮＯ）、待受状態に戻るが（図３のステップＳ１）、“正分”であれば、第１時計１５Ａの計時日時（高精度日時）に基づいてスケジュール表ＳＤを検索し（ステップＳ７３）、「開始日時」が計時日時に一致するスケジュールが存在するかを調べる（ステップＳ７４）。その結果、該当スケジュールがあれば、その「種別」に基づいてメモ種であるかを判別し（ステップＳ７５）、メモ種のスケジュール情報であれば、通常と同様に、アラーム音などによる報知のほか（ステップＳ７６）、そのスケジュール内容を表示出力させる（ステップＳ７７）。また、「開始日時」に達したスケジュールがＴＶ種であれば（ステップＳ７５でＮＯ）、アラーム音などによる報知のほか、ＴＶ放送受信部１３をオンさせたのち（ステップＳ７８）、その「予約内容」の項目からチャンネル情報を読み出し、この予約チャンネルの放送受信内容を録画する動作を開始させる（ステップＳ７９）。その後、待受状態に戻る（図３のステップＳ１）。
【００５７】
一方、“自動補正モード”がリセットされていて、ＲＴＣ１５Ａが不正確な日時の可能性がある場合にも（ステップＳ７１でＮＯ）、この第１時計１５Ａの計時日時が“正分”となった際に（ステップＳ８０でＹＥＳ）、この計時日時に基づいてスケジュール表ＳＤを検索し（ステップＳ８１）、「開始日時」が計時日時に一致するメモ種のスケジュールが存在するかを調べ（ステップＳ８２）、該当するスケジュールがあれば、アラーム音などによる報知のほか（ステップＳ７６）、そのスケジュール内容を表示出力させる（ステップＳ７７）。
【００５８】
また、“自動補正モード”がリセットされている状態において、第１時計１５Ａの計時日時が“正分”ではい場合（ステップＳ８０でＮＯ）あるいは「開始日時」が一致するメモ種のスケジュールが存在しない場合には（ステップＳ８２でＮＯ）、第２時計１５Ｂをアクセスし、その計時日時は、“正分”であるかを調べ（ステップ８３Ｓ）、“正分”でなければ、待受状態に戻るが（図３のステップＳ１）、“正分”であれば、この計時日時（高精度日時）に基づいてスケジュール表ＳＤを検索し（ステップＳ８５）、「開始日時」が当該計時日時に一致するＴＶ種のスケジュールが存在するかを調べる（ステップＳ８５）。
【００５９】
その結果、該当するスケジュールがあれば、ＴＶ放送受信部１３をオンさせたのち（ステップＳ７８）、その「予約内容」の項目からチャンネル情報を読み出し、この予約チャンネルの放送受信内容を録画する動作を開始させる（ステップＳ７９）。また、該当するスケジュールがなければ（ステップＳ８５でＮＯ）、「終了日時」が第２時計１５Ｂの計時日時に一致するＴＶ種のスケジュールが存在するかを調べ（ステップＳ８６）、それに該当するスケジュールがあれば、録画動作を終了させると共に、ＴＶ放送受信部１３をオフさせる（ステップＳ８７）。
【００６０】
以上のように、この第２実施例においてＣＰＵ１は、メモ種のスケジュールに対しては、その予約日時と第１時計１５Ａの計時日時とを比較し、ＴＶ種のスケジュールに対しては、その予約日時と第２時計１５Ｂの計時日時とを比較してスケジュール管理を行うことにより、ＴＶ種のスケジュールに対しては、それ以外のスケジュールとは区別して高精度な計時日時によってその予約内容を実行することができ、計時日時の不正確さを起因として録画予約実行時に生じる悪影響を防止することが可能となる。
【００６１】
この場合、“自動補正モード”が選択されていれば、メモ種かＴＶ種かに拘らず、その予約日時と第１時計１５Ａの計時日時とを比較し、また、“自動補正モード”が解除されていて“手動補正モード”が選択されていれば、メモ種のスケジュールに対してはその予約日時と第１時計１５Ａの計時日時とを比較し、ＴＶ種のスケジュールに対してはその予約日時と第２時計１５Ｂの計時日時とを比較してスケジュール管理を行うことができ、ＴＶ種のスケジュールに対しては、常に正確な時計を使用することが可能となる。
【００６２】
なお、上述した第２実施例においては、“自動補正モード”下では、メモ種かＴＶ種かに拘らず、同一の時計を使用するようにしたが、“自動補正モード”が選択されているか否かに拘らず、メモ種のスケジュールに対しては、固定的に第１時計１５Ａを使用し、ＴＶ種のスケジュールに対しては、固定的に第２時計１５Ｂを使用するようにしてもよい。この場合、ＣＰＵ１は、スケジュール表ＳＤを検索する際に、メモ種かＴＶ種であるかを判別し、メモ種のスケジュールであれば、第１時計１５Ａを使用し、ＴＶ種のスケジュールであれば、第２時計１５Ｂを使用すればよい。
【００６３】
また、上述した第２実施例においては、第１時計１５Ａ、第２時計１５Ｂを常時、計時動作を実行させるようにしたが、第２時計１５Ｂについては、少なくとも、スケジュール表ＳＤ内にＴＶ種のスケジュールが設定されている間、その計時動作を実行させるようにしてもよい。つまり、ＴＶ種のスケジュールの設定時に、ＴＶ放送信号から高精度日時を取得して第２時計１５Ｂに初期設定してその計時動作を実行させたのち、そのＴＶ予約の「終了日時」に達した際に、当該スケジュール情報を削除すると共に、第２時計１５Ｂの計時動作を停止させるようにしてもよい。
【００６４】
また、上述した各実施例においては、ＴＶ放送受信部１３のオン時に録画予約を受け付けるようにしたが、ＴＶオフ時に録画の予約を受け付けるようにしてもよい。
また、録画予約に限らず、任意に設定した日時にテレビ放送を受信して出力すると視聴予約の場合をスケジュール情報として設定した場合でも同様に適用可能である。
また、上述した各実施例においては、ＴＶ放送信号に含まれている高精度日時を取得するようにしたが、ＧＰＳ(Global Positioning System)受信部を備えた携帯電話装置においては、ＧＰＳから高精度日時を取得するようにしてもよい。
【００６５】
上述した各実施例においては、ＴＶ録画の場合を示したが、ラジオの予約録音の場合であっても同様に適用可能である。
その他、携帯電話装置に限らず、例えば、ＰＤＡ、電子カメラ、電子腕時計、音楽再生機などの携帯端末装置であっても同様に適用可能である。
【図面の簡単な説明】
【００６６】
【図１】携帯端末装置として適用したテレビ受信機能付き携帯電話装置の基本的な構成要素を示したブロック図。
【図２】スケジュール表ＳＤを説明するための図。
【図３】電源投入に伴って実行開始される携帯電話装置の全体動作を示したフローチャート。
【図４】図３に続く、フローチャート。
【図５】図３に続く、フローチャート。
【図６】図５に続く、フローチャート。
【図７】第２実施例において、２つの内蔵時計であるＲＴＣ１５Ａ、ＲＴＣ１５Ｂを示した図。
【図８】第２実施例における特徴的な動作を示し、上述した第１実施例に示した図６に代わるフローチャート。
【符号の説明】
【００６７】
１  ＣＰＵ
２  記憶部
５  電話通信部
１０  メイン表示部
１２  キー操作部
１３  ＴＶ放送受信部
１４  サウンドスピーカ
１５  ＲＴＣ
１５Ａ  ＲＴＣ（第１時計）
１５Ｂ  ＲＴＣ（第２時計）
ＳＤ  スケジュール表
ＭＦ  時計モードフラグ
ＡＦ  直前修正フラグ
【図１】
2008118245.tif 000003
【図２】
2008118245.tif 000004
【図３】
2008118245.tif 000005
【図４】
2008118245.tif 000006
【図５】
2008118245.tif 000007
【図６】
2008118245.tif 000008
【図７】
2008118245.tif 000009
【図８】
2008118245.tif 000010